(57)【要約】【課題】着用者の頭髪、塵埃等の異物がフード本体の内部空間から外部空間に飛散する事態を低減することができるとともに、容易に着用することができる防塵フードを提供する。【解決手段】防塵フード１は、着用者１０の頭部１１及び頸部１２を覆うフード本体２と、フード本体２に設けられ、着用者１０の顔面１４が露出する開口部３と、着用者１０の顔面１４を視認可能に開口部３を被覆するシールド４と、シールド４を開口部３に密閉する密閉手段５と、を備える。【選択図】図４
2019189954.tif 000002
【特許請求の範囲】
【請求項１】
着用者の頭部及び頸部を覆うフード本体と、
前記フード本体に設けられ、前記着用者の顔面が露出する開口部と、
前記着用者の顔面を視認可能に前記開口部を被覆するシールドと、
前記シールドを前記開口部に密閉する密閉手段と、を備えてなる防塵フード。
【請求項２】
前記密閉手段は、前記開口部の内周部及び前記シールドの外周部に設けられる線ファスナからなる請求項１に記載の防塵フード。
【請求項３】
前記開口部の周囲に設けられ、前記フード本体の外部空間と内部空間とを通気する通気手段をさらに備えてなる請求項１又は２に記載の防塵フード。
【請求項４】
前記通気手段は、前記開口部の両側部に設けられ、該両側部にわたって前記フード本体の外部空間と内部空間とを通気してなる請求項３に記載の防塵フード。
【請求項５】
前記通気手段は、前記フード本体の外部空間と内部空間とを通気するメッシュ状布と、該メッシュ状布を開閉可能なカバー布と、を有してなる請求項３又は４に記載の防塵フード。
【請求項６】
前記シールドは、上部に通気用の貫通孔が形成されてなる請求項１〜５のいずれか１項に記載の防塵フード。
【請求項７】
前記開口部の内形が、縦長楕円形状となるように形成され、
前記シールドの外形が、横長楕円形状となるように形成され、
前記開口部の内周部の内周の長さが、前記シールドの外周部の外周の長さと同一であって、前記シールドの外幅が、前記開口部の内幅よりも大きくなるように形成されてなる請求項１〜６のいずれか１項に記載の防塵フード。
【発明の詳細な説明】
【技術分野】
【０００１】
本発明は、食品、医薬品等を製造する工場、半導体等を製造するクリーンルーム等で使用される防塵フードに関する。
【背景技術】
【０００２】
従来の防塵フードは、主に、食品、医薬品等を製造する工場、あるいは、半導体等を製造するクリーンルーム等で作業する作業者等の着用者が防塵のために着用するものである。この種の防塵フードは、例えば、着用者の頭部及び頸部を被覆するフード本体と、フード本体に設けられ着用者の顔面が露出する視界確保用開口部と、着用者の顔面を視認可能に視界確保用開口部を被覆するシールドと、シールドの上端部とフード本体との間に形成されフード本体の外部空間（クリーンルーム等）と内部空間とを通気する空気流入用開口部と、を備えているものが知られている（特許文献１参照）。
【先行技術文献】
【特許文献】
【０００３】
【特許文献１】特許第５９７８０１６号公報
【発明の概要】
【発明が解決しようとする課題】
【０００４】
しかしながら、上記従来の防塵フードでは、空気流入用開口部を介してフード本体の外部空間（クリーンルーム等）と内部空間とを通気するから、例えば、フード本体の内部空間から外部空間に向けて通気するとき、着用者の頭髪、着用者の頭部及び頸部に付着した塵埃等の異物が、空気流入用開口部を介して、フード本体の内部空間から外部空間（クリーンルーム等）に飛散する可能性があるという問題があった。
【０００５】
さらに、上記従来の防塵フードでは、着用者の頭髪、塵埃等の異物が、外部空間（クリーンルーム等）に飛散し難くするために、防塵フードを着用する前に、着用者の頭部及び頸部に密着可能なインナーキャップ、インナーマスク等を着用する必要がある。そのため、インナーキャップ、インナーマスク等を着用し、さらに、防塵フードを着用しなければならないといった煩わしさがあるという問題があった。
【０００６】
そこで、本発明は、上述の事情に鑑みて、着用者の頭髪、塵埃等の異物がフード本体の内部空間から外部空間に飛散する事態を低減することができるとともに、容易に着用することができる防塵フードを提供することを目的としている。
【課題を解決するための手段】
【０００７】
上記本発明の目的は、以下の手段によって達成される。なお、括弧内は、後述する実施形態の参照符号を付したものであるが、本発明はこれに限定されるものではない。
【０００８】
請求項１の発明に係る防塵フード（１）は、着用者（１０）の頭部（１１）及び頸部（１２）を覆うフード本体（２）と、前記フード本体（２）に設けられ、前記着用者（１０）の顔面（１４）が露出する開口部（３）と、前記着用者（１０）の顔面（１４）を視認可能に前記開口部（３）を被覆するシールド（４）と、前記シールド（４）を前記開口部（３）に密閉する密閉手段（５）と、を備えてなることを特徴としている。
【０００９】
請求項２の発明に係る防塵フード（１）は、上記請求項１の防塵フード（１）において、前記密閉手段（５）は、前記開口部（３）の内周部（３ａ）及び前記シールド（４）の外周部（４ｂ）に設けられる線ファスナからなることを特徴としている。
【００１０】
請求項３の発明に係る防塵フード（１）は、上記請求項１又は２の防塵フード（１）において、前記開口部（３）の周囲に設けられ、前記フード本体（２）の外部空間（Ａ）と内部空間（Ｂ）とを通気する通気手段（６）をさらに備えてなることを特徴としている。
【００１１】
請求項４の発明に係る防塵フード（１）は、上記請求項３の防塵フード（１）において、前記通気手段（６）は、前記開口部（３）の両側部に設けられ、該両側部にわたって前記フード本体（２）の外部空間（Ａ）と内部空間（Ｂ）とを通気してなることを特徴としている。
【００１２】
請求項５の発明に係る防塵フード（１）は、上記請求項３又は４に記載の防塵フード（１）において、前記通気手段（６）は、前記フード本体（２）の外部空間（Ａ）と内部空間（Ｂ）とを通気するメッシュ状布（２１）と、該メッシュ状布（２１）を開閉可能なカバー布（２３）と、を有してなることを特徴としている。
【００１３】
請求項６の発明に係る防塵フード（１）は、上記請求項１〜５のいずれか１項に記載の防塵フード（１）において、前記シールド（４）は、上部に通気用の貫通孔（４ｃ）が形成されてなることを特徴としている。
【００１４】
請求項７の発明に係る防塵フード（１）は、上記請求項１〜６のいずれか１項に記載の防塵フード（１）において、前記開口部（３）の内形が、縦長楕円形状となるように形成され、前記シールド（４）の外形が、横長楕円形状となるように形成され、前記開口部（３）の内周部（３ａ）の内周の長さが、前記シールド（４）の外周部（４ｂ）の外周の長さと同一であって、前記シールド（４）の外幅が、前記開口部（３）の内幅よりも大きくなるように形成されてなることを特徴としている。
【発明の効果】
【００１５】
次に、本発明の効果について、図面の参照符号を付して説明する。なお、括弧内は、後述する実施形態の参照符号を付したものであるが、本発明はこれに限定されるものではない。
【００１６】
請求項１の発明によれば、防塵フード（１）が、シールド（４）を開口部（３）に密閉する密閉手段（５）を備えているから、密閉手段（５）がシールド（４）を開口部（３）に密閉することによって、フード本体（２）の内部空間（Ｂ）が密閉されることとなる。これにより、着用者（１０）の頭髪、塵埃等の異物がフード本体（２）の内部空間（Ｂ）から外部空間（Ａ）に飛散する事態を低減することができる。そしてさらに、従来のように防塵フード（１）を着用する前に、着用者（１０）の頭部（１１）及び頸部（１２）に密着可能なインナーキャップ、インナーマスク等を着用する必要がなくなるから、防塵フード（１）を容易に着用することができる。
【００１７】
請求項２の発明によれば、密閉手段（５）が、開口部（３）の内周部（３ａ）及びシールド（４）の外周部（４ｂ）に設けられる線ファスナであるから、シールド（４）が開口部（３）に着脱容易となる。これにより、防塵フード（１）をさらに容易に着用することができる。
【００１８】
請求項３の発明によれば、防塵フード（１）が、フード本体（２）の外部空間（Ａ）と内部空間（Ｂ）とを通気する通気手段（６）をさらに備えているから、密閉手段（５）がシールド（４）を開口部（３）に密閉した状態であっても、通気手段（６）が外部空間（Ａ）と内部空間（Ｂ）とを通気することによって、着用者（１０）の頭髪、塵埃等の異物がフード本体（２）の内部空間（Ｂ）から外部空間（Ａ）に飛散する事態を低減しながら、着用者（１０）が息苦しくなるといった不具合を解消することができる。
【００１９】
請求項４の発明によれば、通気手段（６）が、開口部（３）の両側部に設けられ、両側部にわたってフード本体（２）の外部空間（Ａ）と内部空間（Ｂ）とを通気するから、例えば、左側部の通気手段（６）がフード本体（２）の外部空間（Ａ）と内部空間（Ｂ）とを通気し、右側部の通気手段（６）がフード本体（２）の内部空間（Ｂ）と外部空間（Ａ）とを通気することによって、左側部の通気手段（６）から右側部の通気手段（６）にわたってフード本体（２）の外部空間（Ａ）と内部空間（Ｂ）とを通気することとなる。これにより、フード本体（２）の内部空間（Ｂ）に空気が滞留することがなくなるから、防塵フード（１）を快適に着用することができる。
【００２０】
請求項５の発明によれば、通気手段（６）が、フード本体（２）の外部空間（Ａ）と内部空間（Ｂ）とを通気するメッシュ状布（２１）と、メッシュ状布（２１）を開閉可能なカバー布（２３）と、を有しているから、例えば、着用者（１０）の頭髪、塵埃等の異物が通過不能な目開き（網目の大きさ）となるメッシュ状布（２１）を設けることによって、着用者（１０）の頭髪、塵埃等の異物がフード本体（２）の内部空間（Ｂ）から外部空間（Ａ）に飛散する事態を低減しながら、着用者（１０）が息苦しくなるといった不具合を解消することができる。そしてさらには、通常時にはカバー布（２３）によりメッシュ状布（２１）を閉塞し、息苦しいときにはカバー布（２３）によりメッシュ状布（２１）を開放することができるから、フード本体（２）の外部空間（Ａ）と内部空間（Ｂ）との通気量を適切に調整することができる。これにより、防塵フード（１）をさらに快適に着用することができる。
【００２１】
請求項６の発明によれば、シールド（４）の上部に通気用の貫通孔（４ｃ）が形成されているから、例えば、着用者（１０）の頭髪、塵埃等の異物が通過しないように非常に小径となる通気用の貫通孔（４ｃ）をシールド（４）の上部に設けることによって、フード本体（２）の内部空間（Ｂ）の上側から下側に落下し、内部空間（Ｂ）の下側に蓄積される着用者（１０）の頭髪、塵埃等の異物と離間した位置に通気用の貫通孔（４ｃ）が設けられることとなる。これにより、着用者（１０）の頭髪、塵埃等の異物がフード本体（２）の内部空間（Ｂ）から外部空間（Ａ）に飛散する事態を低減しながら、着用者（１０）が息苦しくなるといった不具合を解消することができる。
【００２２】
請求項７の発明によれば、開口部（３）の内形が、縦長楕円形状となるように形成され、シールド（４）の外形が、横長楕円形状となるように形成され、開口部（３）の内周部（３ａ）の内周の長さが、シールド（４）の外周部（４ｂ）の外周の長さと同一であって、シールド（４）の外幅が、開口部（３）の内幅よりも大きくなるように形成されているから、横長楕円形状となるシールド（４）を縦長楕円形状となる開口部（３）に密閉したとき、シールド（４）の左右方向の中央部が前方に突出するように曲線状に撓んで湾曲した状態で、開口部（３）にシールド（４）が装着されることとなる。これに伴って、開口部（３）の左右方向の中央部に隣接するフード本体（２）が前方に伸びて突出することとなり、もって、フード本体（２）及びシールド（４）と着用者（１０）の顔面（１４）との間に内部空間（Ｂ）が形成されることとなる。これにより、例えば、着用者（１０）が眼鏡を着用した状態であっても、内部空間（Ｂ）に眼鏡が収容されることとなるから、着用者（１０）が着用した眼鏡が、フード本体（２）及びシールド（４）に接触することがなくなり、もって、防塵フード（１）を快適に着用することができる。
【図面の簡単な説明】
【００２３】
【図１】本発明の一実施形態に係る防塵フードを例示する正面図である。
【図２】同実施形態に係る防塵フードのフード本体を例示する左側面図である。
【図３】同実施形態に係る防塵フードのシールドを例示する正面図である。
【図４】同実施形態に係る防塵フードの使用状態を例示する右側面図である。
【図５】同実施形態に係る防塵フードの通気手段を例示し、（ａ）は、カバー布を閉じた状態を例示し、（ｂ）は、カバー布を開いた状態を例示する正面図である。
【図６】同実施形態に係る防塵フードの通気手段を例示し、（ａ）は、カバー布を閉じた状態を例示し、（ｂ）は、カバー布を開いた状態を例示する横断面図である。
【発明を実施するための形態】
【００２４】
以下に、本発明に係る防塵フードの一実施形態について、図面を参照して具体的に説明する。なお、以下の説明において、上下左右の方向を示す場合は、図示正面から見た場合の上下左右をいうものとする。
【００２５】
図１〜図４に示すように、防塵フード１は、主に、食品、医薬品等を製造する工場、あるいは、半導体等を製造するクリーンルーム等で作業する作業者等の着用者１０（図４参照）が防塵のために着用するものであって、主に、着用者１０の頭髪、着用者１０の頭部１１（図４参照）及び頸部１２（図４参照）に付着した塵埃等の異物の飛散を防止するものである。
【００２６】
かくして、このような防塵フード１は、図１〜図４に示すように、フード本体２と、開口部３と、シールド４と、密閉手段５と、通気手段６と、眉被覆部７と、フードスカート８と、調整手段９ａ，９ｂと、を備えてなるものである。
【００２７】
フード本体２は、図４に示すように、着用者１０の頭部１１及び頸部１２の全体を覆う伸縮性を有する布地からなるものである。このような布地としては、例えば、ポリウレタン、ポリエステル等の化学繊維からなる肌触りの良好な布地が例示される。
【００２８】
一方、このフード本体２は、通気可能であり、着用者１０の頭髪、着用者１０の頭部１１及び頸部１２に付着した塵埃等の異物がフード本体２の内部空間Ｂから外部空間Ａに通過しないように、非常に細かく編まれている。そしてさらに、このフード本体２は、着用時において着用者１０の頭部１１及び頸部１２の全体を覆うように、頭部１１側が底部となるとともに、頸部１２側が開口部となる円筒形状の内部空間Ｂを有する袋状をなしている。
【００２９】
しかして、このようなフード本体２は、図１、図２、図４に示すように、中央部に縦長楕円形状となる開口部３が形成され、着用者１０の頭部１１及び頸部１２の前部を覆う矩形状の前面フード布２ａと、前面フード布２ａの両側部に縫い付けられ、頭部１１及び頸部１２の後部を覆う矩形状の後面フード布２ｂと、前面フード布２ａ及び後面フード布２ｂの上部に縫い付けられ、頭部１１の上部を覆う円形状の上面フード布２ｃと、を有している。この前面フード布２ａ、後面フード布２ｂ、上面フード布２ｃは、それぞれ、縫製糸によって縫い付けられている。これにより、上面フード布２ｃが円形の底部となり、前面フード布２ａ及び後面フード布２ｂが矩形状の側部となることによって、フード本体２が円筒形状の内部空間Ｂを有する袋状に形成されることとなる。
【００３０】
開口部３は、図１及び図２に示すように、フード本体２の前面フード布２ａの中央部に形成され、着用者１０の顔面１４が露出するように、正面視で縦長楕円形状となる開口部である。より具体的に説明すると、この開口部３は、図４に示すように、着用者１０の顔面１４のうち、少なくとも、眼、鼻、口が露出する大きさとなるように形成されるものである。
【００３１】
しかして、このような開口部３は、図１及び図２に示すように、開口部３の周縁部に沿うように前面フード布２ａに縫い付けられ、密閉手段５のフード側ファスナ５ａを縫い付けるために内周側に突出する内周部３ａを有している。この内周部３ａは、内周側に正面視で縦長楕円形状となる開口部を有するドーナツ形状のものであって、伸縮性を有する布地からなるものである。この布地としては、例えば、ポリエステル繊維をトリコット等の経編よって編まれた編物が例示される。例えば、フード本体２の布地と異なる布地から形成されるものである。
【００３２】
シールド４は、図４に示すように、着用者１０の顔面１４を視認可能（着用者１０が外部空間Ｂ（図６参照）を視認可能）に開口部３の全部を被覆する透明樹脂又は半透明樹脂からなる保護部である。
【００３３】
しかして、このようなシールド４は、図３に示すように、横長楕円形状となる透明樹脂製のシールド本体４ａと、シールド本体４ａの周縁部に沿うように縫い付けられ、密閉手段５のシールド側ファスナ５ｂを縫い付けるために外周側に突出する外周部４ｂと、を有している。このシールド本体４ａは、表面に防曇処理が施され、上部に通気用の貫通孔４ｃ（エアホール）が形成されている。そしてさらに、このシールド本体４ａは、キャブロイド（登録商標、太平化学製品株式会社製）などのＣＡＰ（セルロースアセテートプロピオネート）、ＣＡＢ（セルロースアセテートブチレート）等のセルロース系の繊維素系樹脂からなる透明樹脂シートであって、透明性及び可撓性を有するように形成されている。なお、通気用の貫通孔４ｃは、図３に示すように、外周部４ｂの内周に沿うように複数個（例えば、３２個）設けられ、それぞれが等間隔となるように千鳥配置されている。また、通気用の貫通孔４ｃは、通気可能であり、着用者１０の頭髪、着用者１０の頭部１１及び頸部１２に付着した塵埃等の異物がフード本体２の内部空間Ｂから外部空間Ａに通過しないように非常に小径となるように形成されている。なお、本実施形態においては、通気用の貫通孔４ｃがシールド４の上部に形成されている例を示したが、下部に形成されていても良い。しかしながら、通気用の貫通孔４ｃがシールド４の上部に形成した方が好ましい。フード本体２の内部空間Ｂの上側から下側に落下し、内部空間Ｂの下側に蓄積される着用者１０の頭髪、塵埃等の異物と離間した位置に通気用の貫通孔４ｃが設けられることとなるから、着用者１０の頭髪、塵埃等の異物がフード本体２の内部空間Ｂから外部空間Ａに飛散する事態を低減しながら、着用者１０が息苦しくなるといった不具合を解消することができるためである。
【００３４】
一方、外周部４ｂは、内周側に正面視で横長楕円形状となる開口部を有するドーナツ形状のものであって、伸縮性を有する布地からなるものである。この布地としては、例えば、ポリエステル繊維をトリコット等の経編よって編まれた編物が例示される。例えば、開口部３の内周部３ａの布地と同一の布地から形成されるものである。
【００３５】
なお、シールド本体４ａの外形は、外周部４ｂの内周側の開口部よりもやや大きくなるように形成されている。また、シールド本体４ａ及び外周部４ｂは、シールド本体４ａの外形が外周部４ｂと重なる部分において縫い付けられている。これにより、正面視で横長楕円形状となるステッチ４ｄ（縫い目）が形成されることとなる。
【００３６】
密閉手段５は、図４に示すように、シールド４を開口部３に着脱自在に密閉するものであって、図１〜図４に示すように、開口部３の内周部３ａ及びシールド４の外周部４ｂに設けられる線ファスナ（ジッパー、チャック）である。より詳しくは、シールド４を開口部３から完全に取り外すことが可能なオープンファスナ（開製品）であって、樹脂ファスナ（コイルファスナ）又はプラスチックファスナ（射出成型ファスナ）である。
【００３７】
しかして、このような密閉手段５は、図１及び図２に示すように、開口部３の内周部３ａに縫い付けられるフード側ファスナ５ａと、図３に示すように、シールド４の外周部４ｂに縫い付けられるシールド側ファスナ５ｂと、図３及び図４に示すように、フード側ファスナ５ａとシールド側ファスナ５ｂとを開閉自在に連結するスライダ５ｃと、を有している。このフード側ファスナ５ａは、図１に示すように、開口部３の内周部３ａに縫い付けられ、正面視で縦長楕円形状となるテープ及びエレメント（務歯）と、エレメントの上端部に設けられたインサートピン（蝶棒）と、から構成されている。
【００３８】
一方、シールド側ファスナ５ｂは、図３に示すように、シールド４の外周部４ｂに縫い付けられ、正面視で横長楕円形状となるテープ及びエレメントと、エレメントの上端部に設けられたインサートピンと、から構成されている。
【００３９】
また、スライダ５ｃは、図３に示すように、シールド側ファスナ５ｂのインサートピンに予め挿入され、シールド側ファスナ５ｂのエレメントから離脱不能であるとともに、図４に示すように、フード側ファスナ５ａのインサートピンに挿入してスライドさせることによって、シールド側ファスナ５ｂのエレメントとフード側ファスナ５ａのエレメントとを係脱して開閉する胴体と、胴体を引っ張りスライドさせる引手と、から構成されている。
【００４０】
かくして、上記のように構成される密閉手段５は、図４に示すように、シールド側ファスナ５ｂのインサートピンがフード側ファスナ５ａのインサートピンに隣接するように、開口部３にシールド４を装着し、フード側ファスナ５ａのインサートピンにスライダ５ｃの胴体を挿入し、スライダ５ｃの引手を時計回りの方向に引っ張ることによって、シールド側ファスナ５ｂのエレメントとフード側ファスナ５ａのエレメントとが係合し、もって、開口部３にシールド４が密着することとなる。逆に、開口部３にシールド４が密着した状態で、スライダ５ｃの引手を反時計回りの方向に引っ張ると、シールド側ファスナ５ｂのエレメントとフード側ファスナ５ａのエレメントとが離脱し、フード側ファスナ５ａのインサートピンからスライダ５ｃの胴体を抜脱することとなり、もって、開口部３からシールド４を完全に取り外すことができることとなる。
【００４１】
しかして、このように密閉手段５を、開口部３の内周部３ａ及びシールド４の外周部４ｂに設けられる線ファスナにて構成することによって、シールド４が開口部３に着脱容易となるから、防塵フード１を容易に着用することができる。また、線ファスナは、面ファスナと比較して、着用者１０の頭髪、塵埃等の異物を噛み込むことがないから、着用者１０の頭髪、塵埃等の異物がフード本体２の内部空間Ｂ（図６参照）から外部空間Ａ（図６参照）に飛散する事態を低減することができる。さらに、線ファスナは、スナップボタンと比較して、シールド４を開口部３に隙間なく密閉することができるから、着用者１０の頭髪、塵埃等の異物がフード本体２の内部空間Ｂ（図６参照）から外部空間Ａ（図６参照）に飛散する事態を低減することができる。
【００４２】
一方、本実施形態によれば、フード側ファスナ５ａ及びシールド側ファスナ５ｂのインサートピンが、フード側ファスナ５ａ及びシールド側ファスナ５ｂのエレメントの上端部に設けられているから、密閉手段５によってシールド４を開口部３に密閉したとき、スライダ５ｃがフード側ファスナ５ａ及びシールド側ファスナ５ｂのエレメントの上端部に位置することになる。このため、スライダ５ｃの開閉操作が容易になるから、シールド４を開口部３に隙間なく密閉することができ、もって、着用者１０の頭髪、塵埃等の異物がフード本体２の内部空間Ｂ（図６参照）から外部空間Ａ（図６参照）に飛散する事態を低減することができる。
【００４３】
また一方、密閉手段５は、オープンファスナで構成されているから、開口部３からシールド４を完全に着脱することができる。これにより、例えば、シールド４が汚れたり、破損したりした場合であっても、シールド４のみを交換すればよいから、フード本体２を再利用することができる。
【００４４】
ところで、上記のように構成される密閉手段５は、フード側ファスナ５ａの長さ（内周の長さ）が、シールド側ファスナ５ｂの長さ（外周の長さ）と同一であって、シールド側ファスナ５ｂ外幅（左右の長さ）が、フード側ファスナ５ａの内幅（左右の長さ）よりも大きくなるように形成されている。すなわち、フード側ファスナ５ａの内形は、図１に示すように、縦長楕円形状となるように形成され、シールド側ファスナ５ｂの外形は、図３に示すように、横長楕円形状となるように形成されている。換言すれば、開口部３の内形が、図１に示すように、縦長楕円形状となるように形成され、シールド４の外形が、図３に示すように、横長楕円形状となるように形成され、開口部３の内周部３ａの内周の長さが、シールド４の外周部４ｂの外周の長さと同一であって、シールド４の外幅（左右の長さ）が、開口部３の内幅（左右の長さ）よりも大きくなるように形成されている。
【００４５】
しかして、このようにすれば、横長楕円形状となるシールド４を、縦長楕円形状となる開口部３に密閉したとき、シールド４の左右方向の中央部が前方に突出するように曲線状に撓んで湾曲した状態で、フード側ファスナ５ａにシールド側ファスナ５ｂが装着されることとなる。これに伴って、開口部３の左右方向の中央部に隣接するフード本体２が前方に伸びて突出することとなり、もって、図４に示すように、フード本体２及びシールド４と着用者１０の顔面１４との間に内部空間Ｂ（図６参照）が形成されることとなる。これにより、例えば、着用者１０が眼鏡（図示せず）を着用した状態であっても、内部空間Ｂに眼鏡が収容されることとなるから、着用者１０が着用した眼鏡が、フード本体２及びシールド４に接触することがなくなり、もって、防塵フード１を快適に着用することができる。
【００４６】
通気手段６は、図１、図２、図４に示すように、開口部３の左右両側部に設けられ、左右両側部にわたってフード本体２の外部空間Ａ（図６参照）と内部空間Ｂ（図６参照）とを通気するものである。より詳しく説明すると、この通気手段６は、開口部３の左右両側部に位置する前面フード布２ａと後面フード布２ｂとの接合部分（切り替え部分、切り返し部分）に設けられ、上下方向に延びるように形成されている。このため、左側部の通気手段６がフード本体２の外部空間Ａ（図６参照）と内部空間Ｂ（図６参照）とを通気し、右側部の通気手段６がフード本体２の内部空間Ｂ（図６参照）と外部空間Ａ（図６参照）とを通気することによって、左側部の通気手段６（図６参照）から右側部の通気手段６（図６参照）にわたってフード本体２の外部空間Ａ（図６参照）と内部空間Ｂ（図６参照）とを通気するようになっている。あるいは、右側部の通気手段６がフード本体２の外部空間Ａ（図６参照）と内部空間Ｂ（図６参照）とを通気し、左側部の通気手段６がフード本体２の内部空間Ｂ（図６参照）と外部空間Ａ（図６参照）とを通気することによって、右側部の通気手段６から左側部の通気手段６にわたってフード本体２の外部空間Ａ（図６参照）と内部空間Ｂ（図６参照）とを通気するようになっている。
【００４７】
しかして、このような通気手段６は、左側部の通気手段６を、図５及び図６に拡大して示すように、左端部が前面フード布２ａの内側面に縫い付けられ、フード本体２の外部空間Ａと内部空間Ｂとを通気するメッシュ状布２１と、左端部がメッシュ状布２１の右端部の外側面に縫い付けられ、右端部が後面フード布２ｂの内側面に縫い付けられる継ぎ布２２と、左端部が前面フード布２ａの右端部と一体形成され、メッシュ状布２１を開閉可能なカバー布２３と、左端部がカバー布２３の右端部と一体形成され、継ぎ布２２を開閉可能なカバー布２４と、を有している。このメッシュ状布２１は、例えば、ＰＥＴＥＸ（登録商標、Ｓｅｆａｒ  ＡＧ社製）などのポリエステルメッシュクロス等の合成樹脂製のメッシュ布地（網目状布）であって、通気可能であり、着用者１０の頭髪、着用者１０の頭部１１及び頸部１２に付着した塵埃等の異物がフード本体２の内部空間Ｂから外部空間Ａに通過しないように非常に目開き（網目の大きさ）が小さくなるように形成されている。
【００４８】
一方、継ぎ布２２は、メッシュ状布２１と後面フード布２ｂとを接合するために、後面フード布２ｂを左側に延長するために継ぎ足す継ぎ当て布（当て布）であって、後面フード布２ｂの布地と同一の布地から形成されるものである。
【００４９】
また一方、カバー布２３及びカバー布２４は、前面フード布２ａの右端部から右側に一体的に延びる部分であって、前面フード布２ａの布地と同一の布地から形成されるものである。なお、前面フード布２ａ、カバー布２３、カバー布２４は、実質的に１枚の布地であって、前面フード布２ａとカバー布２３との間の内側面にメッシュ状布２１の左端部が縫い付けられている。
【００５０】
かくして、上記のように構成される通気手段６は、通常時には、図５（ａ）及び図６（ａ）に示すように、カバー布２３及びカバー布２４がメッシュ状布２１及び継ぎ布２２を閉塞するから、フード本体２の外部空間Ａと内部空間Ｂとが通気不能状態となる。一方、着用者１０が息苦しいときには、図５（ｂ）及び図６（ｂ）に示すように、カバー布２３及びカバー布２４を引張方向Ｐに引っ張ることによって、カバー布２３及びカバー布２４がメッシュ状布２１及び継ぎ布２２を開放し、もって、フード本体２の外部空間Ａと内部空間Ｂとの間に通気経路Ｃが形成されることとなる。これにより、通気可能状態となる。
【００５１】
しかして、このように通気手段６を、開口部３の両側部に設け、両側部にわたってフード本体２の外部空間Ａと内部空間Ｂとを通気するようにしているから、例えば、左側部の通気手段６がフード本体２の外部空間Ａと内部空間Ｂとを通気し、右側部の通気手段６がフード本体２の内部空間Ｂと外部空間Ａとを通気することによって、左側部の通気手段６から右側部の通気手段６にわたってフード本体２の外部空間Ａと内部空間Ｂとを通気することとなる。これにより、フード本体２の内部空間Ｂに空気が滞留することがなくなり、もって、防塵フード１を快適に着用することができる。
【００５２】
また、通気手段６は、フード本体２の外部空間Ａと内部空間Ｂとを通気するメッシュ状布２１と、メッシュ状布２１を開閉可能なカバー布２３と、を有しているから、着用者１０の頭髪、塵埃等の異物が通過不能な目開きとなるメッシュ状布２１を設けることによって、着用者１０の頭髪、塵埃等の異物がフード本体２の内部空間Ｂから外部空間Ａに飛散する事態を低減することができると共に、着用者１０が息苦しくなるといった不具合を解消することができる。
【００５３】
また、通気手段６は、通常時にはカバー布２３によりメッシュ状布２１を閉塞し、息苦しいときにはカバー布２３によりメッシュ状布２１を開放することができるから、フード本体２の外部空間Ａと内部空間Ｂとの通気量を適切に調整することができ、もって、防塵フード１をさらに快適に着用することができる。
【００５４】
さらにまた、通気手段６は、継ぎ布２２を開閉可能なカバー布２４を有しているから、カバー布２３によりメッシュ状布２１を閉塞するだけでなく、カバー布２４により継ぎ布２２を閉塞することによって、メッシュ状布２１を強固に閉塞することができる。
【００５５】
ところで、上記のように構成される通気手段６は、図１、図２、図４に示すように、上下方向に延びる中間部分において、カバー布２４（図５及び図６参照）が継ぎ布２２（図５及び図６参照）に縫い付けられたステッチ２５が形成されている。これにより、上下方向に延びる上部分のカバー布２４が開閉し、さらに、上下方向に延びる下部分のカバー布２４が開閉することとなるから、カバー布２４の開閉範囲が狭くなることとなり、もって、カバー布２４が不意に開いて通気する事態を低減することができる。
【００５６】
眉被覆部７は、図１及び図２に示すように、開口部３の周縁上部３ｂに設けられ、眉部１５（図４参照）を被覆するものである。なお、眉部１５とは、図示しない眉毛及び前髪の全部を含む額部（前頭部）である。
【００５７】
しかして、このような眉被覆部７は、図１及び図２に示すように、正面視で矩形状をなしているとともに、伸縮性を有する布地からなる。このような布地としては、例えば、ポリウレタン、ポリエステル等の化学繊維からなる肌触りの良好な布地であって、例えば、ポリコット（登録商標、田村駒株式会社製）などのポリエステル繊維を凹凸形状の外観を呈するワッフル状となるように編まれた吸水性に優れた編物が例示される。
【００５８】
しかるに、このような眉被覆部７は、眉部１５を被覆することとなるから、眉部１５からの眉毛、汗、塵埃等の脱落を低減することができることとなる。さらにまた、眉被覆部７の矩形状の上部分及び左右両側部分は、フード本体２の上面フード布２ｃと前面フード布２ａとの内側接合部分から前面フード布２ａと後面フード布２ｂとの内側接合部分にわたって、フード本体２の円筒形状に沿うように縫い付けられている。これにより、眉被覆部７がフード本体２の円筒形状に沿うように縫い付けられることとなり、もって、着用者１０が防塵フード１を取り外したときに、眉被覆部７によってフード本体２が伸縮し、フード本体２が元の円筒形状に復帰することとなる。
【００５９】
フードスカート８は、フード本体２の下部に縫い付けられ、着用者１０の肩部１３（図４参照）を覆う肩掛け（ケープ）であって、図示しない防塵服（クリーンウェア）の下側に着用するものである。
【００６０】
しかるに、このようなフードスカート８は、下端部に開口部を有するとともに、下端部に向けて末広がり形状となるものであって、下端部には、三つ折りバインダ等の仕上げ処理が施されたバインダ８ａを有している。なお、このようなフードスカート８は、例えば、テクノファイン（登録商標、旭化成アドバンス株式会社製）などのポリエステル繊維をメッシュ状となるように編まれた通気性及び速乾性に優れた編物で形成されている。このように、通気性及び速乾性に優れたメッシュ状のフードスカート８に形成することよって、フードスカート８の内部空間が蒸れることがなくなり、もって、防塵フード１を快適に着用することができることなる。
【００６１】
かくして、上記のように構成される防塵フード１は、次のように着用される。
【００６２】
まず、図４に示すように、着用者１０は、密閉手段５のシールド側ファスナ５ｂのインサートピンがフード側ファスナ５ａのインサートピンに隣接するように、開口部３にシールド４を装着する。そして、着用者１０は、フード側ファスナ５ａのインサートピンにスライダ５ｃの胴体を挿入し、スライダ５ｃの引手を時計回りの方向に引っ張る。これにより、シールド側ファスナ５ｂのエレメントとフード側ファスナ５ａのエレメントとが係合し、もって、シールド４が開口部３に密着することとなる。
【００６３】
次いで、着用者１０の頭部１１及び頸部１２の全体を覆うように、かつ着用者１０の顔面１４が開口部３から露出するように、さらに眉被覆部７が眉部１５を被覆するように、フード本体２を頭部１１及び頸部１２に装着するとともに、フードスカート８を肩部１３に装着する。
【００６４】
かくして、このようすれば、着用者１０は、防塵フード１を着用することができることとなる。
【００６５】
しかして、以上説明した本実施形態によれば、防塵フード１は、シールド４を開口部３に密閉する密閉手段５を備えているから、密閉手段５がシールド４を開口部３に密閉することによって、フード本体２の内部空間Ｂが密閉されることとなる。これにより、着用者１０の頭髪、塵埃等の異物がフード本体２の内部空間Ｂから外部空間Ａに飛散する事態を低減することができる。そしてさらに、従来のように防塵フード１を着用する前に、着用者１０の頭部１１及び頸部１２に密着可能なインナーキャップ、インナーマスク等を着用する必要がなくなるから、防塵フード１を容易に着用することができることとなる。
【００６６】
なお、本実施形態において示した形状等はあくまで一例であり、特許請求の範囲に記載された本発明の要旨の範囲内において、種々の変形・変更が可能である。例えば、本実施形態においては、フード本体２は、トリコット等の経編によって編まれた編物であったが、これに限定されるものではなく、例えば、ラッセル等の他の経編によって編まれた編物や、平編、リブ編、両面編、パール編等の緯編（ヨコアミ）によって編まれた編物であってもよい。また、フード本体２は、伸縮性を有するものであれば、織物、不織布等であってもよく、例えば、平織、綾織、朱子織等によって織られた織物や、スパンボンド不織布等の不織布であってもよい。また、フード本体２の材料は、ポリウレタン、ポリエステル等の化学繊維に限定されるものではなく、ポリプロピレン、ポリエチレン等の他の化学繊維や、綿、麻、絹等の天然繊維であってもよい。
【００６７】
一方、本実施形態においては、開口部３は、正面視で縦長楕円形状となる開口部であったが、これに限定されるものではなく、例えば、正面視で矩形状、円形状となる開口部であってもよい。また、本実施形態においては、内周部３ａは、フード本体２の布地と異なる布地から形成されるものであったが、例えば、フード本体２の前面フード布２ａと一体形成することによって、フード本体２の布地と同一の布地から形成されるものであってもよい。
【００６８】
他方、本実施形態においては、シールド４は、正面視で横長楕円形状となる保護部であったが、これに限定されるものではなく、例えば、正面視で矩形状、円形状となる保護部であってもよい。また、本実施形態においては、シールド本体４ａは、セルロース系の繊維素系樹脂からなる透明樹脂シートであったが、例えば、他の透明樹脂又は半透明樹脂からなる透明樹脂シート又は半透明樹脂シートであってもよい。さらにまた、本実施形態においては、シールド本体４ａには、通気用の貫通孔４ｃが形成されていたが、通気用の貫通孔４ｃを形成しないものであってもよい。あるいは、眉被覆部７が、通気可能であり、着用者１０の頭髪、着用者１０の頭部１１及び頸部１２に付着した塵埃等の異物がフード本体２の内部空間Ｂから外部空間Ａに通過しないように、非常に細かく編まれているものであって、通気用の貫通孔４ｃを覆うように開口部３の内周部３ａの内周よりも下方に延びるものであってもよい。しかして、このような眉被覆部７及び通気用の貫通孔４ｃを設けることによって、着用者１０の頭髪、塵埃等の異物がフード本体２の内部空間Ｂから外部空間Ａに飛散する事態を低減しながら、着用者１０が息苦しくなるといった不具合を解消することができる。
【００６９】
また、本実施形態においては、密閉手段５は、フード側ファスナ５ａの内形が、縦長楕円形状となるように形成され、シールド側ファスナ５ｂの外形が、横長楕円形状となるように形成され、あるいは、開口部３の内形が、縦長楕円形状となるように形成され、シールド４の外形が、横長楕円形状となるように形成されていたが、これに限定されるものではなく、例えば、フード側ファスナ５ａの内形及びシールド側ファスナ５ｂの外形を同一形状となるように形成し、あるいは、開口部３の内形及びシールド４の外形を同一形状となるように形成してもよい。
【００７０】
さらにまた、本実施形態においては、通気手段６は、メッシュ状布２１と、継ぎ布２２と、メッシュ状布２１を開閉可能なカバー布２３と、継ぎ布２２を開閉可能なカバー布２４と、を有していたが、これに限定されるものではなく、例えば、メッシュ状布２１と、メッシュ状布２１を開閉可能なカバー布２３と、を有するものであってもよい。さらにまた、本実施形態においては、前面フード布２ａ、カバー布２３、カバー布２４は、一体形成されていたが、例えば、カバー布２３，２４を一体形成し、前面フード布２ａと、カバー布２３，２４とを別体で縫い付けてもよい。さらにまた、本実施形態においては、継ぎ布２２、後面フード布２ｂは、別体で縫い付けられていたが、例えば、継ぎ布２２と、後面フード布２ｂとを一体形成してもよい。
【００７１】
さらにまた、本実施形態においては、通気手段６は、開口部３の左右両側部に設けられ、左右両側部にわたってフード本体２の外部空間Ａと内部空間Ｂとを通気するものであったが、これに限定されるものではなく、通気手段６をどの位置に設けても良い。例えば、開口部３の下方に設け、フード本体２の外部空間Ａと内部空間Ｂとを通気するものであってもよい。
【符号の説明】
【００７２】
１          防塵フード
２          フード本体
２ａ        前面フード布
２ｂ        後面フード布
２ｃ        上面フード布
３          開口部
３ａ        内周部
３ｂ        周縁上部
４          シールド
４ａ        シールド本体
４ｂ        外周部
４ｃ        通気用の貫通孔
４ｄ        ステッチ
５          密閉手段
５ａ        フード側ファスナ
５ｂ        シールド側ファスナ
５ｃ        スライダ
６          通気手段
７          眉被覆部
８          フードスカート
８ａ        バインダ
９ａ，９ｂ  調整手段
１０        着用者
１１        頭部
１２        頸部
１３        肩部
１４        顔面
１５        眉部
２１        メッシュ状布
２２        継ぎ布
２３，２４  カバー布
２５        ステッチ
Ａ          外部空間
Ｂ          内部空間
Ｃ          通気経路
Ｐ          引張方向
【図１】
2019189954.tif 000003
【図２】
2019189954.tif 000004
【図３】
2019189954.tif 000005
【図４】
2019189954.tif 000006
【図５】
2019189954.tif 000007
【図６】
2019189954.tif 000008
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
着用者の頭部及び頸部を覆うフード本体と、
前記フード本体に設けられ、前記着用者の顔面が露出する開口部と、
前記着用者の顔面を視認可能に前記開口部を被覆するシールドと、
前記シールドを前記開口部に密閉する密閉手段と、を備え、
前記開口部の内形が、縦長楕円形状となるように形成され、
前記シールドの外形が、横長楕円形状となるように形成され、
前記開口部の内周部の内周の長さが、前記シールドの外周部の外周の長さと同一であって、前記シールドの外幅が、前記開口部の内幅よりも大きくなるように形成されてなる防塵フード。
【請求項２】
前記密閉手段は、前記開口部の内周部及び前記シールドの外周部に設けられる線ファスナからなる請求項１に記載の防塵フード。
【請求項３】
前記開口部の周囲に設けられ、前記フード本体の外部空間と内部空間とを通気する通気手段をさらに備えてなる請求項１又は２に記載の防塵フード。
【請求項４】
前記通気手段は、前記開口部の両側部に設けられ、該両側部にわたって前記フード本体の外部空間と内部空間とを通気してなる請求項３に記載の防塵フード。
【請求項５】
前記通気手段は、前記フード本体の外部空間と内部空間とを通気するメッシュ状布と、該メッシュ状布を開閉可能なカバー布と、を有してなる請求項３又は４に記載の防塵フード。
【請求項６】
前記シールドは、上部に通気用の貫通孔が形成されてなる請求項１〜５のいずれか１項に記載の防塵フード。
【手続補正２】
【補正対象書類名】明細書
【補正対象項目名】０００８
【補正方法】変更
【補正の内容】
【０００８】
請求項１の発明に係る防塵フード（１）は、着用者（１０）の頭部（１１）及び頸部（１２）を覆うフード本体（２）と、前記フード本体（２）に設けられ、前記着用者（１０）の顔面（１４）が露出する開口部（３）と、前記着用者（１０）の顔面（１４）を視認可能に前記開口部（３）を被覆するシールド（４）と、前記シールド（４）を前記開口部（３）に密閉する密閉手段（５）と、を備え、前記開口部（３）の内形が、縦長楕円形状となるように形成され、前記シールド（４）の外形が、横長楕円形状となるように形成され、前記開口部（３）の内周部（３ａ）の内周の長さが、前記シールド（４）の外周部（４ｂ）の外周の長さと同一であって、前記シールド（４）の外幅が、前記開口部（３）の内幅よりも大きくなるように形成されてなることを特徴としている。
【手続補正３】
【補正対象書類名】明細書
【補正対象項目名】００１４
【補正方法】削除
【補正の内容】
【手続補正４】
【補正対象書類名】明細書
【補正対象項目名】００１６
【補正方法】変更
【補正の内容】
【００１６】
請求項１の発明によれば、防塵フード（１）が、シールド（４）を開口部（３）に密閉する密閉手段（５）を備えているから、密閉手段（５）がシールド（４）を開口部（３）に密閉することによって、フード本体（２）の内部空間（Ｂ）が密閉されることとなる。これにより、着用者（１０）の頭髪、塵埃等の異物がフード本体（２）の内部空間（Ｂ）から外部空間（Ａ）に飛散する事態を低減することができる。そしてさらに、従来のように防塵フード（１）を着用する前に、着用者（１０）の頭部（１１）及び頸部（１２）に密着可能なインナーキャップ、インナーマスク等を着用する必要がなくなるから、防塵フード（１）を容易に着用することができる。さらに、請求項１の発明によれば、開口部（３）の内形が、縦長楕円形状となるように形成され、シールド（４）の外形が、横長楕円形状となるように形成され、開口部（３）の内周部（３ａ）の内周の長さが、シールド（４）の外周部（４ｂ）の外周の長さと同一であって、シールド（４）の外幅が、開口部（３）の内幅よりも大きくなるように形成されているから、横長楕円形状となるシールド（４）を縦長楕円形状となる開口部（３）に密閉したとき、シールド（４）の左右方向の中央部が前方に突出するように曲線状に撓んで湾曲した状態で、開口部（３）にシールド（４）が装着されることとなる。これに伴って、開口部（３）の左右方向の中央部に隣接するフード本体（２）が前方に伸びて突出することとなり、もって、フード本体（２）及びシールド（４）と着用者（１０）の顔面（１４）との間に内部空間（Ｂ）が形成されることとなる。これにより、例えば、着用者（１０）が眼鏡を着用した状態であっても、内部空間（Ｂ）に眼鏡が収容されることとなるから、着用者（１０）が着用した眼鏡が、フード本体（２）及びシールド（４）に接触することがなくなり、もって、防塵フード（１）を快適に着用することができる。
【手続補正５】
【補正対象書類名】明細書
【補正対象項目名】００２２
【補正方法】削除
【補正の内容】